(57)【要約】  楽にバッテリー(50)を取り外すことができる電気掃除機(30)を提供すること。車輪(21,121)を有する筐体(10,110)と、前記筐体内に設けられた電動送風機(30)および集塵室(40)とを有する掃除機本体(1,100)を備え、前記筐体(10,110)には、バッテリー(50)を着脱可能に装着するバッテリー装着部(18,118)が設けられ、前記バッテリー装着部(18,118)は、バッテリー(50)を前方または後方へスライドさせて装着または取り外し可能なように、前記筐体(10,110)の後部に上方および後方に開口する凹形に形成されたことを特徴とする電気掃除機。
2019026309.tif 000002
【特許請求の範囲】
【請求項１】
車輪を有する筐体と、前記筐体内に設けられた電動送風機および集塵室とを有する掃除機本体を備え、  前記筐体には、バッテリーを着脱可能に装着するバッテリー装着部が設けられ、  前記バッテリー装着部は、バッテリーを前方または後方へスライドさせて装着または取り外し可能なように、前記筐体の後部に上方および後方に開口する凹形に形成されたことを特徴とする電気掃除機。
【請求項２】
前記筐体には、前記バッテリー装着部に装着されたバッテリーを解除可能にロックするロック機構部がさらに設けられており、  前記ロック機構部は、前記バッテリー装着部の下部に前後方向移動可能に設けられたロック解除ボタンと、前記バッテリー装着部に装着されたバッテリーの下面に設けられた係止凹部に係脱可能に係止する係止爪と、前記係止爪を上方へ付勢する付勢部材とを有し、前記ロック解除ボタンを前方へ押すことにより前記付勢部材の付勢力に抗して前記係止爪を下方へ移動させて前記係止凹部から離脱させるように構成された請求項１に記載の電気掃除機。
【請求項３】
前記バッテリー装着部は、バッテリーの下面を支持するよう後方へ向かって上昇する傾斜状の底面を有する請求項１または２に記載の電気掃除機。
【請求項４】
前記筐体は、可撓性ホースと接続可能なように前部に設けられた接続口と、前記接続口と前記電動送風機との間に設けられた上方開口状の前記集塵室と、前記集塵室を開閉する開閉蓋とを有し、  前記開閉蓋は、シボ加工により形成されたシボパターンを外面に有する請求項１〜３のいずれか１つに記載の電気掃除機。
【請求項５】
前記開閉蓋は、前後方向に延びる横断面山形の左端部および右端部を有する請求項４に記載の電気掃除機。
【請求項６】
前記筐体は、前記開閉蓋よりも前方に突出する平面視Ｕ形のハンドルを有する請求項４または５に記載の電気掃除機。
【発明の詳細な説明】
【技術分野】
【０００１】  本発明は、電気掃除機に関する。
【背景技術】
【０００２】  従来の電気掃除機として、特許文献１には、掃除機本体と、掃除機本体に着脱可能に接続される基端部を有する可撓性ホースと、可撓性ホースの先端部側に設けられたハンドルおよび操作部と、可撓性ハンドルの先端部と着脱可能に接続される基端部を有する延長パイプと、延長パイプの先端部に着脱可能に接続される吸込口体とを供えたキャニスター型の電気掃除機が開示されている。【０００３】  特許文献１の電気掃除機において、掃除機本体は、電動送風機を内蔵する筐体を有する駆動装置と、駆動装置の前後中間位置に着脱可能に装着されるサイクロン方式の集塵装置と、駆動装置の後部に着脱可能に装着されるバッテリーとを備えている。  駆動装置は、バッテリーを下方または上方へスライドさせて装着または取り外し可能なバッテリー装着部を筐体の後部に有している。
【先行技術文献】
【特許文献】
【０００４】
【特許文献１】特開２０１５−９６１３２号公報
【発明の概要】
【発明が解決しようとする課題】
【０００５】  特許文献１の電気掃除機では、駆動装置からバッテリーを取り外す際、バッテリーの下面と上面を掴んで引き上げて取り外さなければならないため、掃除機本体が置かれた床面付近まで手が下がるよう使用者は立った姿勢で腰を曲げるあるいは腰を下ろして屈む必要があった。また、例えば、女性や高齢者といった腕力が比較的弱い使用者では、バッテリーをバッテリー装着部から上方へスライドさせる際の摩擦抵抗およびバッテリー重量によって腕に負担がかかっていた。【０００６】  本発明は、このような課題に鑑みなされたものであり、楽にバッテリーを取り外すことができる電気掃除機を提供することを目的とする。
【課題を解決するための手段】
【０００７】  かくして、車輪を有する筐体と、前記筐体内に設けられた電動送風機および集塵室とを有する掃除機本体を備え、  前記筐体には、バッテリーを着脱可能に装着するバッテリー装着部が設けられ、  前記バッテリー装着部は、バッテリーを前方または後方へスライドさせて装着または取り外し可能なように、前記筐体の後部に上方および後方に開口する凹形に形成された電気掃除機が提供される。
【発明の効果】
【０００８】  本発明の電気掃除機によれば、バッテリーをバッテリー装着部から取り外す際、使用者はバッテリー装着部に対してバッテリーを後方へスライドさせるため、バッテリー重量による腕への負担は軽減されると共に、屈んだ姿勢を取らなくても楽に取り外すことができる。  また、バッテリー装着部およびバッテリーを掃除機本体の上面側へ配置することが可能となるため、掃除機本体の後面から突出物を無くすことができ、掃除機本体の後面を下に向けた状態で掃除機本体を立てることができ、掃除機本体が狭い収納スペースでも収納可能となる。
【図面の簡単な説明】
【０００９】
【図１】本発明の電気掃除機における掃除機本体の実施形態１であって（Ａ）は開閉蓋を閉じた状態の斜視図、（Ｂ）は開閉蓋を開けた状態の斜視図である。
【図２】実施形態１の掃除機本体の左側断面図である。
【図３】実施形態１の掃除機本体におけるバッテリー装着部の分解図である。
【図４】実施形態１の掃除機本体における集塵室の内部構造を示す正面断面図である。
【図５】実施形態１の掃除機本体におけるロック解除ボタンを押す前の状態を説明する図である。
【図６】図５に引き続くロック解除ボタンを押しながらバッテリーを引き出す状態を説明する図である。
【図７】実施形態２の掃除機本体の概略構成を説明する図である。
【発明を実施するための形態】
【００１０】（実施形態１）  図１は本発明の電気掃除機における掃除機本体の実施形態１であって（Ａ）は開閉蓋を閉じた状態の斜視図、（Ｂ）は開閉蓋を開けた状態の斜視図である。また、図２は実施形態１の掃除機本体の左側断面図であり、図３は実施形態１の掃除機本体におけるバッテリー装着部の分解図である。また、図４は実施形態１の掃除機本体における集塵室の内部構造を示す正面断面図であり、図５は実施形態１の掃除機本体におけるロック解除ボタンを押す前の状態を説明する図である。
【００１１】  図１〜図５に示すように、本発明の電気掃除機は、左右一対の車輪２１および前輪２２を有する筐体１０と、筐体１０内に設けられた電動送風機３０および集塵室４０とを有するキャニスター型の掃除機本体１を備え、掃除機本体１には、図示しないハンドルおよび操作部を有する可撓性ホース、延長パイプおよび吸込口体が接続される。なお、図７では可撓性ホース２を参照することができる。
【００１２】  本発明の電気掃除機は掃除機本体１に特徴を有するため、以下では主に掃除機本体１について説明する。
【００１３】  筐体１０は、底板１１、前板１２、後板１３、左右の側板１４および天板１５を有すると共に、天板１５の一部を構成する開閉蓋１６を有している。そして、左右の側板１４の後部に左右一対の車輪２１が水平軸心を中心に回転可能に取り付けられると共に、底板１１の前部に前輪２２が水平軸心を中心に回転可能にかつ垂直軸心を中心に旋回可能に取り付けられている。
【００１４】  また、筐体１０には、図示しない可撓性ホースと接続可能なように前板１２に設けられた接続口１７と、接続口１７と電動送風機３０との間に設けられた上方開口状の前記集塵室４０と、集塵室４０を開閉する前記開閉蓋１６と、バッテリー５０を着脱可能に装着するバッテリー装着部１８と、バッテリー装着部１８に装着されたバッテリー５０を解除可能にロックするロック機構部１９と、電動送風機３０を通過した空気を外部に排出するよう後板１３に形成された排気口２０と、電動送風機３０の収納スペースと集塵室４０との間に衝立部４２を介して形成された格子状の通風口４１とが設けられている。
【００１５】  また、集塵室４０内には、接続口１７から送られるダストを含む空気を取り込んでダストを捕集しかつ空気を通過させる２点鎖線で示す紙パック４３が着脱可能に取り付けられる。なお、紙パック４３が直接通風口４１に接触すると通風口４１が塞がれて吸引力が低下するため、衝立部４２を設けることにより紙パック４３と通風口４１との間に隙間を確保するようにしている。
【００１６】  バッテリー装着部１８は、バッテリー５０を前方または後方へスライドさせて装着または取り外し可能なように、筐体１０の後部に上方および後方に開口する凹形に形成されており、その奥部にはバッテリー５０の電極と電気的に接続可能な端子部が設けられている。  また、バッテリー装着部１８は、掃除機本体１を水平な床面Ｆに載置した状態において、バッテリー５０の下面を支持するよう後方へ向かって上昇する傾斜状の底面１８ａを有している。バッテリー装着部１８の底面１８ａを傾斜状にすることによって、筐体１０内部におけるバッテリー装着部１８の下にスペースを形成することができるため、このスペースにロック機構部１９を設けて有効利用することができる。なお、筐体１０内におけるロック機構部１９の下方には回路基板２３が設けられている。
【００１７】  また、バッテリー装着部１８の底面１８ａの後部には、後述するロック機構部１９のロック解除ボタン１９ａを前後方向スライド可能に取り付けるための取付用凹部１８ａ（図３）および係止爪１９ｂを上下方向スライド可能に取り付けるためのリブ１８ｂが設けられている。
【００１８】  ロック機構部１９は、バッテリー装着部１８の前記取付用凹部１８ａに前後方向（矢印Ａ1、Ａ2方向）に移動可能に設けられたロック解除ボタン１９ａと、バッテリー装着部１８に装着されたバッテリー５０の下面の係止凹部５０ａに係脱可能に係止するよう前記リブ１８ｂに取付られた係止爪１９ｂと、係止爪１９ｂを上方へ付勢するよう前記リブ１８ｂ内に配置された付勢部材（バネ）１９ｃと、取付用凹部１８ａ内に収納されたロック解除ボタン１９ａの上面の一部を覆うカバー１９ｄとを有する。なお、カバー１９ｄは、バッテリー装着部１８の取付用凹部１８ａの後部に設けられたリブにカバー１９ｄのＬ形に折れ曲がった後端部を引っ掛け、カバー１９ｄの前端部の爪部を取付用凹部１８ａの前部に設けられた溝に強く押し付けて強制的に嵌め込むことにより、取付用凹部１８ａに固定される。
【００１９】  ロック解除ボタン１９ａは、長方形プレート状の部材であり、中央には係止爪１９ｂの頂部を下方から上方へ向かって挿通させる長方形の挿通孔１９ａ1が設けられている。  係止爪１９ｂは内部に空洞を有しており、その空洞内に付勢部材１９ｃが収納されている。また、係止爪１９ｂは、リブ１８ｂを構成する前壁および左右側壁に沿って上下方向に摺接する前面および左右側面を有すると共に、後方（矢印Ａ2方向）へ向かって下降する傾斜面１９ｂ1を有している。  バッテリー５０がバッテリー装着部１８に装着された状態において、ロック機構部１９の係止爪１９ｂの傾斜面１９ｂ1の頂部がバッテリー５０の係止凹部５０ａに係止する。
【００２０】  図６は図５に引き続くロック解除ボタンを押しながらバッテリーを引き出す状態を説明する図である。  バッテリー５０をバッテリー装着部１８から取り外す際は、図６に示すように、例えば、親指でロック機構部１９のロック解除ボタン１９ａを矢印Ａ1方向（前方）に押しながら人差し指および中指等をバッテリー５０の上面の段差部５０ｂに引っ掛けて矢印Ａ2方向（手前）へ引く。
【００２１】  このとき、ロック解除ボタン１９ａの挿通孔１９ａ1の後方開口端縁１９ａ11が係止爪１９ｂの傾斜面１９ｂ1を摺接することにより、付勢部材１９ｃの付勢力に抗して係止爪１９ｂが下方へ移動し、係止爪１９ｂの頂部がロック解除ボタン１９ａの挿通孔１９ａ1内に引っ込む。これにより、バッテリー５０の係止凹部５０ａから係止爪１９ｂが外れてロックが解除され、バッテリー５０を後方（矢印Ａ2方向）へ引いてバッテリー装着部１８から取り出すことができる。
【００２２】  このように、ロック解除ボタン１９ａを押す方向とバッテリー５０を引き出す方向が相互に逆向きであるため、片手でもロック解除ボタン１９ａを押す操作とバッテリー５０を引く操作を容易に行うことができる。この際、使用者はバッテリー装着部１８に対してバッテリー５０を後方へスライドさせるため、バッテリー重量による腕への負担は軽減されると共に、屈んだ姿勢を取らなくても楽に取り外すことができる。
【００２３】  また、バッテリー装着部１８およびバッテリー５０を掃除機本体１の上面側へ配置しているため、掃除機本体１の後面から突出物を無くすことができ、掃除機本体１の後面を下に向けた状態で掃除機本体１を立てることができ、掃除機本体１が狭い収納スペースでも収納可能となる。なお、図２に示すように、筐体１０の後板１３には掃除機本体１を安定して立てることができるよう脚部１３ａが設けられている。
【００２４】  また、図１（Ａ）および（Ｂ）に示すように、筐体１０の開閉蓋１６を含む天板１５の外面には、シボ加工により形成されたシボパターンＳｐが設けられている。図１では格子形のシボパターンＳｐを例示しているが、格子形以外の幾何学シボ、皮シボ、梨地等のシボパターンでもよい。なお、図３では天板１５のシボパターンＳｐは図示を省略している。
【００２５】  シボパターンＳｐの形成は、例えば、次のような従来公知のエッチング加工により行うことができる。（Ｉ）開閉蓋１６を含む天板１５を成形する金型のシボ加工しない部分に耐酸性テープでマスキングする。（ＩＩ）パターンが印刷されたフィルムを、予め用意しておいた金型の型紙に合わせてカットし、カットしたフィルムを金型内面に密着させて保護膜を形成しシボパターンを転写する。（ＩＩＩ）金型を腐食液に浸漬してエッチングする。（ＩＶ）サンドブラスト処理によって酸化残留物等を除去し、かつ艶処理を行う。（Ｖ）保護膜を剥離し、金型を洗浄し、防錆処理をする。  なお、エッチング加工以外にも、例えば、レーザー加工機を用いて金型内面に直接シボパターンを形成するレーザーダイレクトシボ加工を行ってもよい。
【００２６】  開閉蓋１６の外面にシボパターンＳｐを設けることにより、使用者が開閉蓋１６を開ける際、開閉蓋１６のシボパターンＳｐが滑り止めとなって開けやすくなるため、開閉蓋１６を開けるための取っ手が不要となる上、樹脂成形時のヒケやウェルドといった外観不良を目立たなくすることができ、開閉蓋１６の製造の容易化を図ることができる。  さらに、従来では筐体の外観に高級感を与えるために、機能部品とは別に意匠部品を設けて２部品化する、印刷したシートを樹脂と一体成型するなどを行っていたため、特殊な設備が必要であり、コスト増加となっていたが、天板１５の外面にシボパターンＳｐを形成することにより、特殊な設備を設ける必要もなく、低コストにて容易に高級感を得ることができる上、傷付き抑制効果も得られて好都合となる。
【００２７】  また、図１（Ａ）および図４に示すように、開閉蓋１６を含む天板１５は、前後方向に延びる横断面山形の左端部１５ａおよび右端部１５ｂを有している。  使用者によっては開けた開閉蓋１６を勢いよく閉じるという行為も想定されるため、開閉蓋１６を含む天板１５の左端部１５ａおよび右端部１５ｂを横断面山形に形成することによって、このような使用状態にも耐えることができるよう開閉蓋１６の左端部１５ａおよび右端部１５ｂの強度アップを図ることができる。
【００２８】  また、図１（Ａ）および（Ｂ）に示すように、筐体１０は、開閉蓋１６よりも前方に突出する平面視Ｕ形のハンドル２５を有している。  この構成によれば、掃除機本体１の持ち運びや立てた状態に収納する場合に便利なハンドル２５を、開閉蓋１６の開閉に干渉することがない位置に設けることができる。また、ハンドル２５を平面視Ｕ形とすることにより、開閉蓋１６の山形の左端部１５ａおよび右端部１５ｂと連続的なデザインにすることができ、意匠性にも優れたものとなって好都合となる。
【００２９】  このように構成された掃除機本体１は、清掃時において、電動送風機３０が駆動することにより、被清掃面上のダストおよび空気が、図示しない吸込口体、延長パイプおよび可撓性ホースを介して掃除機本体１の接続口１７に流入し（矢印Ｆ1）、ダストが紙パック４３にて捕捉されると共に、ダストが除去され清浄化された空気が紙パック４３を通過して通風口４１に向かう（矢印Ｆ2）。そして、通風口４１を通過した空気は、電動送風機３０を通り（矢印Ｆ3）、筐体１０内における回路基板２３の下方スペースを通って（矢印Ｆ4）、排気口２０から外部に排出される（矢印Ｆ5）。この際、回路基板２３が気流によって冷却される。
【００３０】（実施形態２）  図７は実施形態２の掃除機本体の概略構成を説明する図である。  実施形態１では紙パック方式の掃除機本体１を例示したが、図７の実施形態２で示されるように本発明はサイクロン方式の掃除機本体１００にも適用することができる。なお、図７において、図２中の要素と同様の要素には同一の符号を付している。
【００３１】  この掃除機本体１００は、左右一対の車輪１２１および前輪１２２を有する筐体１１０と、筐体１１９内に収納された電動送風機３０および回路基板２３と、筐体１１０に着脱可能に装着される集塵室としてのサイクロン方式のダストカップユニット１４０およびバッテリー５０とを備える。
【００３２】  筐体１１０は、可撓性ホース２と着脱可能に接続する接続口１１７および電動送風機３０の収納スペースを前部に有し、バッテリー５０を離脱可能に装着させるバッテリー装着部１１８およびバッテリー５０をバッテリー装着部１１８に解除可能にロックするロック機構部１１９を後部に有し、ダストカップユニット１４０の収納スペースを中間部に有している。  また、筐体１１０内のバッテリー装着部１１８の下方スペースには回路基板２３が設けられると共に、後壁に排気口１２０が設けられている。
【００３３】  実施形態２の場合、バッテリー装着部１１８は、バッテリー５０を前後水平方向に装着または取り外しできるよう上方および後方へ開口する凹形に形成されている。  ロック機構部１１９は、実施形態１と同様に構成されている。  ダストカップユニット１４０は、接続口１１７と連通する空気導入口を有するダストカップ１４０ａと、ダストカップ１４０ａの上方開口部に離脱可能に装着されるフィルター部１４０ｂと、ダストカップ１４０ａ内に配置されるようフィルター部１４０ｂに接続された円筒形のメッシュ部１４０ｃとを有し、筐体１１０の収納スペースに対して上下方向に装着または取り外し可能に構成されている。
【００３４】  図７において、矢印は空気が流れる経路を示している。  このように構成された掃除機本体１００は、清掃時において、電動送風機３０が駆動することにより、被清掃面上のダストおよび空気が、図示しない吸込口体、延長パイプおよび可撓性ホース２を介して掃除機本体１００の接続口１１７に流入した後、ダストを含む空気がダストカップユニット１４０のダストカップ１４０ａ内に流入する。
【００３５】  ダストカップ１４０ａ内に流入したダストを含む空気は、ダストカップ１４０ａと内筒部との間の環状スペースを旋回し、比較的大きなダストは遠心力にてダストカップ１４０ａの底部に溜まり、それよりも小さなダストはメッシュ部１４０ｃにて捕捉される。微細なダストを含む空気は、メッシュ部１４０ｃを通過し、微細なダストはフィルター部１４０ｂにて捕捉され、ダストが除去され清浄化された空気は、フィルター部１４０ｂ、電動送風機３０、ダストカップユニット１４０の下方の第１排気流路１２０ａおよび回路基板２３の周囲の第２排気流路１２０ｂを通過して、排気口１２０から外部に排出される。この際、回路基板２３が気流によって冷却される。
【００３６】  このように構成された掃除機本体１００によれば、電動送風機３０が筐体１１０の前部に配置されるため、筐体１１０の後部スペースを広く確保することができ、それに伴ってロック機構部１１９を設けるスペースが十分確保されるため、バッテリー装着部１１８は実施形態１のような傾斜状ではなく水平状に設けられている。  また、実施形態１と同様に、バッテリー５０およびバッテリー装着部１１８は筐体１１０の上面側に配置されているため、掃除機本体１００を立てて収納しやすい構造であり、掃除機本体１００を安定して立てることができるよう後壁には脚部１１３ａが設けられている。  また、バッテリー５０をバッテリー装着部１１８から取り外す際は、実施形態１と同様に、ロック機構部１１９のロック解除ボタン１１９ａを押しながらバッテリー５０を引くことにより簡単に取り外すことができる。
【００３７】（実施形態３）  実施形態２では筐体に対してダストカップユニットを立てた状態で装着するように構成した掃除機本体を例示したが、筐体に対してダストカップユニットを寝かせた状態で装着するように構成してもよい。なお、この場合も、電池装着部およびロック機構部は実施形態１または２のように筐体の後部の上面側に設けられる。
【００３８】（まとめ）  本発明の電気掃除機は、車輪を有する筐体と、前記筐体内に設けられた電動送風機および集塵室とを有する掃除機本体を備え、  前記筐体には、バッテリーを着脱可能に装着するバッテリー装着部が設けられ、  前記バッテリー装着部は、バッテリーを前方または後方へスライドさせて装着または取り外し可能なように、前記筐体の後部に上方および後方に開口する凹形に形成されている。  本発明の電気掃除機は、次のように構成されてもよく、それらが適宜組み合わされてもよい。
【００３９】（１）前記筐体には、前記バッテリー装着部に装着されたバッテリーを解除可能にロックするロック機構部がさらに設けられており、  前記ロック機構部は、前記バッテリー装着部の下部に前後方向移動可能に設けられたロック解除ボタンと、前記バッテリー装着部に装着されたバッテリーの下面に設けられた係止凹部に係脱可能に係止する係止爪と、前記係止爪を上方へ付勢する付勢部材とを有し、前記ロック解除ボタンを前方へ押すことにより前記付勢部材の付勢力に抗して前記係止爪を下方へ移動させて前記係止凹部から離脱させるように構成されてもよい。  この構成によれば、バッテリーをバッテリー装着部から取り外す際、ロック解除ボタンを前方へ押しながらバッテリーを後方へ引き出すことができる。すなわち、ロック解除ボタンの押し操作方向をバッテリー取り出し方向とは逆方向にしているため、片手で容易にバッテリーを取り外すことができる。
【００４０】（２）前記バッテリー装着部は、バッテリーの下面を支持するよう後方へ向かって上昇する傾斜状の底面を有してもよい。  この構成によれば、筐体内部におけるバッテリー装着部の下にスペースを形成することができるため、このスペースにロック機構部を設けることができるため、スペースの有効活用を図ることができる。
【００４１】（３）前記筐体は、可撓性ホースと接続可能なように前部に設けられた接続口と、前記接続口と前記電動送風機との間に設けられた上方開口状の前記集塵室と、前記集塵室を開閉する開閉蓋とを有し、  前記開閉蓋は、シボ加工により形成されたシボパターンを外面に有してもよい。  この構成によれば、使用者が開閉蓋を開ける際、開閉蓋の外面のシボパターンが滑り止めとなって開けやすくなるため、開閉蓋を開けるための取っ手が不要となる上、樹脂成形時のヒケやウェルドといった外観不良を目立たなくすることができ、開閉蓋の製造の容易化を図ることができる。  さらに、従来では筐体の外観に高級感を与えるために、機能部品とは別に意匠部品を設けて２部品化する、印刷したシートを樹脂と一体成型するなどを行っていたため、特殊な設備が必要であり、コスト増加となっていたが、筐体（この場合、開閉蓋）の外面にシボパターンを形成することにより、特殊な設備を設ける必要もなく、低コストにて容易に高級感を得ることができる上、傷付き抑制効果も得られて好都合となる。
【００４２】（４）前記開閉蓋は、前後方向に延びる横断面山形の左端部および右端部を有してもよい。  この構成によれば、使用者によっては開けた開閉蓋を勢いよく閉じるという行為も想定されるため、このような使用状態にも耐えることができるよう開閉蓋の左右両端部の強度アップを図ることができる。
【００４３】（５）前記筐体は、前記開閉蓋よりも前方に突出する平面視Ｕ形のハンドルを有してもよい。  この構成によれば、掃除機本体の持ち運びや立てた状態に収納する場合に便利なハンドルを、開閉蓋の開閉に干渉することがない位置に設けることができる。また、ハンドルを平面視Ｕ形とすることにより、開閉蓋の山形の左右端部と連続的なデザインにすることができ、意匠性にも優れたものとなって好都合となる。
【００４４】  なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００４５】  １、１００  掃除機本体  ２  可撓性ホース  １０、１１０  筐体  １５ａ  左端部  １５ｂ  右端部  １６  開閉蓋  １７、１１７  接続口  １８、１１８  バッテリー装着部  １８ａ  底面  １９、１１９  ロック機構部  １９ａ、１１９ａ  ロック解除ボタン  １９ｂ  係止爪  １９ｃ付勢部材  ２１、１２１  車輪  ２５  ハンドル  ３０  電動送風機  ４０  集塵室  ５０  バッテリー  ５０ａ  係止凹部  １４０  ダストカップユニット  Ｓｐ  シボパターン
【図１】
2019026309.tif 000003
【図２】
2019026309.tif 000004
【図３】
2019026309.tif 000005
【図４】
2019026309.tif 000006
【図５】
2019026309.tif 000007
【図６】
2019026309.tif 000008
【図７】
2019026309.tif 000009
【国際調査報告】
2019026309.tif 000010
2019026309.tif 000011
2019026309.tif 000012
2019026309.tif 000013